(57)【要約】      （修正有）【課題】従来の活水材あるいは磁気を用いた水処理装置は、活水材中に通水するかあるいは磁石を装着した通水管中に通水する形態であり、浄水器もこの方法をコンパクトに集約にしたものである。作用の効果は一度の通水では時間的に不十分なため、長時間作用させる構造に改良するものである。【解決手段】本願は、貯留水中に於いて、活水材を内包させた巣状筒（１）を、モーター又は水中ポンプや循環ポンプを用いた水流力で常時回転させることにより、活水材に貯留水を激突させて激突圧で接触度を向上させ、時間的にも十分な接触度を得る構造である。また、水流力を用いる場合には、水噴出管経路に磁石（８）を装着することで、磁気作用を時間的に最大限に引き出させ十分な磁気作用効果を得る。さらに、使用されて減少した水を補う給水機構を設け、活水材接触と磁気作用の相乗効果で活水させながら、連続運転を可能とする。【選択図】  図１
2004358448.tif 000002
【特許請求の範囲】
【請求項１】
活水材を内包させた巣状板、又は、巣網で構築した活水材筒を水槽等の貯留水中に漬け込み、モーター動力、又は、水流力を利用し、貯留水中で活水材筒を芯回転させることにより、貯留水と活水材との接触作用を得るようにしたハイブリッド式回転活水器。
【請求項２】
活水材筒を漬け込んだ貯留水に対し、磁気作用を加えることにより、活水材接触作用と磁気作用の相乗効果を得るようにした請求項１のハイブリッド式回転活水器。
【請求項３】
水中ポンプを貯留水に漬け込み、その噴出口に磁石を装着させた噴出パイプを取付け、内部を噴出する水に磁気を作用させ、同時に噴出水流力により、活水材筒の芯回転作動を得るようにした請求項１、２のハイブリッド式回転活水器。
【請求項４】
利用に伴い水槽内から減少していく水量をフロート給水で補い、四六時中活水器を作動させることのできる水位を保持し、貯留水に対し、活水材の接触作用と磁気作用の頻度を時間的に最大限に起こさせるようにした請求項１、２、３のハイブリッド式回転活水器。
【発明の詳細な説明】
【０００１】
【産業上の利用分野】
本発明は、飲料水、家畜家禽用水、農業用水、食品加工用水、養殖用水等の下水でない水に磁気と活水材を作用させる装置に係るものである。
【０００２】
【従来の技術】
従来の装置では、水道パイプに磁石を装着させるものがある。
【０００３】
従来の装置では、活水材の中に水を通過させ接触させるものがある。
【０００４】
従来の装置では、浄水器として装置内に水を通過させ磁気や活水材の作用を得るものがある。
【０００５】
【発明が解決しようとする課題】
水道パイプ内を水が通過する流水に磁気を作用させる従来装置では、水に及ぼす磁気作用の時間が短く十分な作用の効果を得ることができない課題がある。
【０００６】
活水材の内部に水を通過させる従来の装置では、活水材と水との接触頻度が少なく、十分な接触頻度を上げるには構造上に改良余地があり課題である。
【０００７】
浄水器内に通水させる流水状況下で、磁気を作用させたり活水材を接触させる従来浄水器では、水道パイプ内を通過する水に対する磁気や活水材作用と同様に作用時間や接触頻度が少なく、十分な効果を得るためには不十分であり構造上の改良の余地があり課題である。
【０００８】
従来の装置では、作用時間や接触頻度を最大限に繰り返すことは上述のように構造上不可能であり、又、その形態から見れば、一度一方向流水に対しての磁気や活水材の作用では、自ずと時間や接触頻度は少ないことが明白で、構造上致命的欠陥があり課題である。
【０００９】
【問題を解決するための手段】
装置自体を貯留水中に漬け込み、活水材筒自体を芯回転させるようにする。
【００１０】
活水材筒の回転作動の動力源として、モーター、又は、貯留水内に起こさせた水流力を利用する。
【００１１】
貯留水中に水中ポンプを漬け込み、ポンプからの噴出水で水流を起こさせ、その水流力で活水材筒を回転させる。
【００１２】
活水材筒自体に回転軸を有させモーターを接続し回転させる。
【００１３】
水中ポンプの噴出口に磁石を装着した噴出パイプを取付け、パイプ内に噴出口から噴出して行く水に磁気を作用させるようにする。
【００１４】
水槽外へと循環パイプを配管し、これに循環ポンプを取付け、パイプに磁石を装着し、循環する貯留水に磁気を作用させる。
【００１５】
貯留水の利用に伴い、減少する水をフロート給水にて補い、四六時中活水材筒を水流力やモーター動力で回転し、又、常時作動させる水中ポンプ、又は、循環ポンプにより磁気作用を促し、活水材と磁気の接触や作用の回数を最大限にすることで課題の解決策とする。
【００１６】
上述で、モーター駆動の活水材筒回転ケースでは、循環ポンプからの噴出は活水材筒を回転させない位置へ噴出させることを可能とし、貯留水槽の形状による場合の課題の解決策とする。
【００１７】
【作用】
貯留水槽にフロート給水口を設け水槽の補給水元とし、活水後の水の取水コックを下方向に設ける。
その水槽内の貯留水中に装置を漬け込み、活水材筒をモーター駆動か、又は、水流力で回転させる。
噴出口に磁石を装着した噴出パイプを取付けた水中ポンプを漬け込み、磁気を作用させた噴出水力で活水材筒を回転し、活水材と水とを接触させるケースと、又は、循環パイプに磁石を装着し、その配管経路の循環ポンプで循環し、磁気を作用させた噴き出し口からの水流力で活水材筒を回転し、活水材と水を接触させるか、或いは、活水材筒をモーター駆動で回転し、活水材と水を接触させ、そして、上述の循環パイプからの噴き出し口を任意の位置に設けることで、磁気作用水との相乗効果を生み、上述のケースの何れの場合も四六時中作動運転可能であることで、活水材と水の接触と磁気の作用を時間的観点から最大限とする。
【００１８】
【発明実施の形態】
図面を参照し説明する。
符号１は装置全体と巣状板又は巣網で構築した活水材筒とに併用している。
【００１９】
先ず、１図に示すは貯留水槽１２の貯留水１３の水中に漬け込んだ装置１の斜視図である。
水槽への補給水はフロート１４で補い、利用水の取水はコック１６から取り出す。
シャーシ軸受５で巣状板、又は、巣網で構築した胴筒２と両蓋３から成る活水材筒１を回転軸４で回転自在に受けている。
【００２０】
ポンプ連結アーム９とポンプ取付け板８により、水中ポンプ２０を連結具７でボルトナット１７により装置１として一体化させている。
【００２１】
水中ポンプの噴出口に磁石８を装着させた噴出パイプ６を有させ、活水材筒１の胴筒２に噴出口を６を向けセットしている。
【００２２】
水中ポンプのモーター２１の作動により、噴出パイプ６からの磁気作用させた噴出水１１が活水材筒１を矢印の如く回転させる。
【００２３】
活水材筒１の中に活水材１５を内包させてあり、回転による衝撃で巣越えからの入水が活水材１５と激しく接触する。
【００２４】
水槽内で水中ポンプ２０に向かい矢印のように水が吸い込まれ、噴出と吸い込みを繰り返しその頻度を増やし、装置１の作動時間を最大限にすることで本装置の課題を解決するようにしている。
【００２５】
２図は本装置の平面図であり、水中ポンプ２０と活水材筒１の組合せの位置方向は水槽１２の多様な形態に応じ、３図の正面図に表した連結具７を緩め、水中ポンプ２０からの噴出水流力が最大に得られる位置を任意に選び固定する。
【００２６】
４図の側面図で示すように、矢印のように水中ポンプ２０に吸入した水は、噴出パイプ６の先端から、活水材筒の胴筒２に向かい矢印の如くに噴出する。
【００２７】
５図では、活水材筒１の回転が貯留水槽１２の貯留水１３の水中で、地球重力を下にして図の方向に回転させている。
【００２８】
６図では５図の貯留水槽１２と同じ条件下、地球重力を下にして図の方向に回転させている様子で、図では示していないが水中ポンプ２０の固定の施策を困じることで、この方向への回転も選び出すことを可能としている。
【００２９】
７図では、活水材筒１の回転軸４にモーター２２連結し回転作動を得ることを可能としている。
【００３０】
８図では、貯留水槽１２に循環パイプ２３を配管し、この経路の循環ポンプ２４で貯留水１３を循環させ、経路に装着させた磁石８の作用を得ることも可能とする。
【００３１】
同じく、８図の循環パイプ２３の噴き出し口２５からの噴出水１１を矢印のように活水材筒１の胴筒２に向け活水材筒１の回転を可能とする。
【００３２】
上述のように、活水材筒１の回転により活水材１５と貯留水１３の接触頻度を時間的に最大限とさせている本願に於いて、回転作動にモーター動力を利用することでも、又、水中ポンプ２０や循環ポンプ２４の噴出水流力を利用することでもその効果が得られるものとしている。
【００３３】
磁気の作用に於いても、その度合いを貯留水１３に対する作用時間を最大限にすることで課題を解決しようとする本願では、水中ポンプ２０、又は、循環ポンプ２４の運転可能状態水量を保つことで、時間から得られることによる効果を以て課題を解決するものである。
【００３４】
【発明の効果】
水に活水材を接触させての効果を云々する場合、従来のように、材中に水を通水させるだけでは接触頻度が少なく効果が薄いが、その点、本装置の場合、水槽内に貯留させた水を四六時中活水材に接触させるため、意図する接触頻度を最大とし、それにて成る十分な効果を得ることを奏する。
【００３５】
又、接触の形態で、活水材を巣状の筒で覆い、その筒を回転させ貯留水との激突接触を企て接触度圧を増したことで、意図する十分な接触効果が得られ、加えて、上述の如く、四六時中回転作動を繰り返せる形態で接触時間を最大限にさせ得ることからも十分な効果が得られるものである。
【００３６】
活水材筒をモーター駆動させ得る形態に加え、又、水流力でも回転させ得る形態から、水中ポンプや循環ポンプ、又、落差水圧を利用し、その噴出口からの水流力で活水材筒を回転させ得ることに加え、水中ポンプと循環ポンプの利用ではその噴出管経路に磁石を装着させ得ることで、回転作動接触と同時に磁気作用の相乗効果も得られ、従来の一度一方向通水間作用でなく、作動運転を最大限に繰り返し得ることから従来の課題を解決し得るものである。
【００３７】
貯留水の使用減水をフロート給水で補いながら、四六時中装置を作動させ得ることで、水に対する活水材と磁気の作用を時間的最大限にさせ得る形態面から見ても、効果を最大限に導くことが可能である。
【００３８】
貯留水に対して、活水材作用と磁気作用を相乗させている構造から、従来に無い水の活水効果が得られるものである。
【図面の簡単な説明】
【図１】本、活水器を貯留水槽に漬け込み作動させている斜視図である。
【図２】本、活水器の平面図である。
【図３】２図の正面図である。
【図４】３図の側面図で活水材筒の蓋面は一部断面にして内包の活水材を表してある。
【図５】水槽内での活水材筒の回転方向を示した斜視図である。
【図６】５図と同じく回転方向を示した斜視図である。
【図７】活水材筒をモーター駆動している斜視図である。
【図８】水槽に循環パイプとポンプを取付けた形態の斜視図である。
【符号の説明】
１  ハイブリッド式回転活水器の装置全体、活水材筒
２  活水材筒の胴筒
３  活水材筒の両蓋
４  回転軸
５  シャーシ軸受
６  噴出パイプ
７  連結具
８  磁石
９  ポンプ連結アーム
１０  ポンプ取付け板
１１  噴出水
１２  貯留水槽
１３  貯留水
１４  フロート
１５  活水材
１６  取水コック
１７  連結ボルトナット
２０  水中ポンプ
２１  水中ポンプモーター
２２  回転駆動モーター
２３  循環パイプ
２４  循環ポンプ
【図１】
2004358448.tif 000003
【図２】
2004358448.tif 000004
【図３】
2004358448.tif 000005
【図４】
2004358448.tif 000006
【図５】
2004358448.tif 000007
【図６】
2004358448.tif 000008
【図７】
2004358448.tif 000009
【図８】
2004358448.tif 000010